(57)【要約】 【課題】マットシールの組み付け作業性の向上と安定した防水性の確保ができる防水コネクタを提供する。【解決手段】防水コネクタ１は、ハウジング１０とマットシール２０と端子３０とを備える。ハウジング１０は、端子収容室１１とマットシール収容室１２と係止孔１３とを備える。マットシール２０は、電線挿通孔４１と外側シールリップ４２とを有するマットシール本体４０と、マットシール本体４０と一体又は一体的に形成され、接合部５１とフランジ５２と複数の係止突起５３とを有する形状維持材５０と、を備える。マットシール収容室１２にマットシール２０を適切な位置に係止固定すると、外側シールリップ４２とマットシール収容室１２の内壁とが当接して、外側シールリップ４２を内方向に押圧し、ハウジング１０とマットシール２０との防水性が確保できる。【選択図】図１
2015041599.tif 000002
【特許請求の範囲】
【請求項１】
電線の端末に取り付けられた端子を装着可能な防水コネクタであって、
前記端子を収容する端子収容室を有するハウジングと、
前記電線が挿通する電線挿通孔を有し、前記端子収容室の後方に装着されるマットシールと、を備え、
前記マットシールが、前記電線挿通孔を有するマットシール本体と、前記マットシール本体の周囲に設けられ当該マットシール本体より硬質の材料からなる形状維持材と、からなる、防水コネクタ。
【請求項２】
請求項１に記載の防水コネクタであって、
前記形状維持材には、前記ハウジングに設けられた係止孔に係止する係止突起が設けられた、防水コネクタ。
【請求項３】
請求項１または２に記載の防水コネクタであって、
前記マットシールの外周には、前記形状維持材を覆うように外側シールリップが設けられ、
前記マットシールの前記端子収容室への装着方向における前記形状維持材の長さは、前記装着方向における前記外側シールリップの設けられた領域の幅より大きい、防水コネクタ。
【請求項４】
請求項１から３のいずれか１項に記載の防水コネクタであって、
前記形状維持材には、前記ハウジングの後端の内周に密着するフランジが一体に設けられた、防水コネクタ。
【発明の詳細な説明】
【技術分野】
【０００１】
本発明は、防水コネクタに関する。
【背景技術】
【０００２】
電線の端末に取り付けられた端子がハウジングの端子収容室に装着され、複数の電線挿通孔を有するマットシールが端子収容室の後端に装着される防水コネクタが知られている（例えば、特許文献１）。
【０００３】
図８に示す特許文献１の防水コネクタ１００は、端子１３０を収容する複数の端子収容室１１１を有するコネクタハウジング１１０と、端子収容室１１１に対応した複数の電線挿通孔１４１を有し、コネクタハウジング１１０の後端に装着されるマット上のゴム栓（マットシール）１２０と、ゴム栓１２０をコネクタハウジング１１０に対して押さえ付ける硬質合成樹脂製のゴム栓押さえ（形状維持材）１５０と、を備えている。また、ゴム栓１２０の外周面にコネクタハウジング１１０の嵌合凹部（マットシール収容室）１１２内周に対する密着性を増すため、何段かの環状シール凸部（外側シールリップ）１４２が設けられている。そして、各電線挿通孔１４１の内周面には、同様に、電線１６０に対する密着性を増すために何段かの環状シール凸部（内側シールリップ）１４３が設けられている。ゴム栓１２０の後面に設けられた凹所２００にゴム栓押さえ１５０の前面に設けられた押圧突部２１０を圧入することにより、ゴム栓１２０に電線挿通孔１４１の径方向の圧縮力を発生させ、該圧縮力により電線挿通孔１４１に通した電線１６０とゴム栓１２０の密着力を増大させることができることが開示されている。
【先行技術文献】
【特許文献】
【０００４】
【特許文献１】特開２０００−３５３５６７号公報
【発明の概要】
【発明が解決しようとする課題】
【０００５】
しかしながら、特許文献１に示される防水コネクタ１００の構成では、ゴム栓１２０とゴム栓押さえ１５０とが別々に形成されているため、組み付け作業性が悪く、間違って押圧突部２１０を電線挿通孔１４１に挿入してしまう恐れもある。また、部品間の寸法誤差等により位置関係が適切に得られず、組み付け性や防水性の低下を生じる可能性があるという問題があった。
【０００６】
本発明は上記状況に鑑みてなされたもので、その目的は、マットシールの組み付け作業性の向上と安定した防水性の確保ができる防水コネクタを提供することにある。
【課題を解決するための手段】
【０００７】
本発明の係る上記目的は、下記構成により達成される。
（１）  電線の端末に取り付けられた端子を装着可能な防水コネクタであって、前記端子を収容する端子収容室を有するハウジングと、前記電線が挿通する電線挿通孔を有し、前記端子収容室の後方に装着されるマットシールと、を備え、前記マットシールが、前記電線挿通孔を有するマットシール本体と、前記マットシール本体の周囲に設けられ当該マットシール本体より硬質の材料からなる形状維持材と、からなる、防水コネクタ。
（２）  （１）に記載の防水コネクタであって、前記形状維持材には、前記ハウジングに設けられた係止孔に係止する係止突起が設けられた、防水コネクタ。
（３）  （１）または（２）に記載の防水コネクタであって、前記マットシールの外周には、前記形状維持材を覆うように外側シールリップが設けられ、前記マットシールの前記端子収容室への装着方向における前記形状維持材の長さは、前記装着方向における前記外側シールリップの設けられた領域の幅より大きい、防水コネクタ。
（４）  （１）から（３）のいずれかに記載の防水コネクタであって、前記形状維持材には、前記ハウジングの後端の内周に密着するフランジが一体に設けられた、防水コネクタ。
【０００８】
上記（１）の構成の防水コネクタによれば、マットシール本体と形状維持材とからなるマットシールを設けている。ハウジングの適切な位置にマットシールを係止できるので、部品点数の削減、部品製作における組み付け作業性が向上し、安定した防水性を確保できる。また、軸ずれの影響も少なく、端子挿入作業性の良い防水コネクタ提供できる。
上記（２）の構成の防水コネクタによれば、形状維持材にハウジングに設けられた係止孔と係止する係止突起を設けているため、ハウジングの適切な位置に簡単にマットシールを係止できる。
上記（３）の構成の防水コネクタによれば、マットシール本体より硬質の材料からなる形状維持材によりマットシールの内方向への変形が抑制され、ハウジング内壁により外側シールリップが押圧されて、ハウジングとマットシール間の防水性が確保される。また、外側シールリップが変形しないため、外側シールリップの損傷が発生し難くなり、安定した防水性が確保できる。
上記（４）の構成の防水コネクタによれば、ハウジングの後端の内周に密着するフランジにより、マットシールの外方向への変形も抑制され、同時に上下左右の動きを規制しているため、マットシールは、ハウジング内で所定の位置関係が保たれ、ハウジングとマットシール間の防水性が長期間安定して保たれる。
【発明の効果】
【０００９】
本発明に係る防水コネクタによれば、防水コネクタの防水性向上が可能となる。
【００１０】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００１１】
【図１】本発明の一実施形態に係る防水コネクタを示す分解斜視図である。
【図２】本発明の一実施形態に係る防水コネクタを示し、（ａ）はハウジングとマットシールの組み付け後の縦断面図、（ｂ）は（ａ）の２Ａ部分における断面の拡大図である。
【図３】本発明の一実施形態に係る防水コネクタの組み付け状態を示す縦断面図である。
【図４】本発明の一実施形態に係る防水コネクタを示し、（ａ）は裏面図、（ｂ）は（ａ）の４Ａ部分における拡大図である。
【図５】本発明に係るマットシールを示し、（ａ）は斜視図、（ｂ）は（ａ）の５Ａ部分における一部切欠した拡大図である。
【図６】本発明の一実施形態に係る防水コネクタを示し、（ａ）はハウジングとマットシールの組み付け後の縦断面図、（ｂ）は（ａ）の６Ａ部分における断面の拡大図である。
【図７】本発明の電線の防水を説明する図であり、（ａ）は図２（ｂ）と同じ図２（ａ）の２Ａ部分における断面の拡大図、（ｂ）は図３と同じ防水コネクタの組み付け状態を示す縦断面図である。
【図８】マットシールを備える従来の防水コネクタの縦断面図である。
【発明を実施するための形態】
【００１２】
以下、本発明に係る実施形態に関して図面を参照して説明する。
図１〜図３を用いて防水コネクタ１の各構成を説明する。
【００１３】
本発明の一実施形態に係る防水コネクタ１は、ハウジング１０と、マットシール２０と、端子３０と、を備えている。ハウジング１０は、略四角形状の樹脂成形品からなり、端子３０を装着可能に収容する複数の端子収容室１１と、ハウジング１０の一端が開口され端子収容室１１の後方に設けられ、マットシール２０を収容するマットシール収容室１２と、ハウジング１０の開口端近傍の外周に設けられた複数の係止孔１３と、を備える。
【００１４】
マットシール２０は、マットシール本体４０と形状維持材５０とを備えている。マットシール本体４０は、略矩形平板状に形成され、例えばシリコンゴム等の弾性材料からなり、後述する電線６０が挿通する複数の電線挿通孔４１を備え、マットシール本体４０の外周には、形状維持材５０を覆うようにマットシール収容室１２の内壁と弾性的に密着する複数の外側シールリップ４２が設けられている。
【００１５】
形状維持材５０は、略矩形平板状に形成され、マットシール本体４０より硬質の、例えばポリエチレンテレフタレート（ＰＥＴ）、ウレタン系やポリエステル系のエラストマー等の合成樹脂から形成され、マットシール本体４０と一体又は一体的に形成されている。また、形状維持材５０は、マットシール本体４０と接合しマットシール本体４０に覆い隠される断面略長方形状の接合部５１と、接合部５１の後方に突出するフランジ５２と、フランジ５２の外周に設けられハウジング１０の係止孔１３と係止する複数の係止突起５３と、を備えている。
【００１６】
端子３０は、略長方形状の電気的導通性のある金属片からなり、電線６０の端末部に取り付けられ電線６０を固定する電線圧着部３１を有している。
【００１７】
次に、上記構成を備える防水コネクタ１の組み付けについて説明する。組み付け手順は、２段階である。
【００１８】
＜第１段階：ハウジング１０にマットシール２０を組み付ける＞
ハウジング１０に設けられたマットシール収容室１２に形状維持材５０のフランジ５２を手や治具等で挟持して、マットシール２０を挿入する。ハウジング１０のマットシール収容室１２の外壁に設けられている係止孔１３と、マットシール２０の形状維持部材５０の外周に設けられている係止突起５３とを係止させ、マットシール２０のマットシール本体４０をマットシール収容室１２の適切な位置に係止固定する。
【００１９】
＜第２段階：端子を組み付ける：図２及び図３参照＞
ハウジング１０とマットシール２０が組み付けられると、端子収容室１１と電線挿通孔４１とで端子３０及び電線６０を収容固定するための収容室であるチャンバが構成される（図２（ｂ）参照）。電線６０が固定された端子３０をマットシール２０の後方から電線挿通孔４１に挿入し、電線挿通孔４１を貫通してハウジング１０の端子収容室１１に挿入し、端子３０の電線圧着部３１に設けられた係合部３２と端子収容室１１の先端近傍に設けられた係合突起１４とを係合させ（図３参照）、端子３０を端子収容室１１内の所定の位置に係合固定する。
【００２０】
以上のように、マットシール本体４０と形状維持部材５０とが一つの部品として構成されているため、ハウジング１０とマットシール２０の２部品の簡単な構造となり、たった２段階の簡単な手順で、防水コネクタ１の組み付けが完了する。
【００２１】
次に、図４〜図７を用いて組み付けによって生じる防水性について詳述する。
【００２２】
マットシール２０のマットシール本体４０と形状維持材５０とは、図４で明らかな通り相似形の矩形状を成し、形状維持部材５０の接合部５１がマットシール本体４０の周辺近傍に食い込むようにマットシール本体４０の全周に亘って一体形成されている。即ち、接合部５１は、マットシール本体４０の外周形状に沿って略平行に形成され、マットシール本体４０に上下から挟み込まれるようにマットシール本体４０内で密着接合して固定されている（図５参照）。そして、接合部５１の長さは、外側シールリップ４２の設けられた領域の幅より長く形成されている。また、外側シールリップ４２の外径は、マットシール収容室１２の内径よりも大きく形成されている。形状維持部材５０は、接合部５１と接合部５１より大径のフランジ５２とからなり、断面略クランク状を成し、フランジ５２は、マットシール本体４０の後方の周囲を覆い隠すように形成されている。この構成により、マットシール本体４０の内方向への変形とハウジング１０の外方向への変形を抑制している。
【００２３】
係止孔１３と係止突起５３が係止して、マットシール２０をハウジング１０に組み付けられると、マットシール本体４０の外側シールリップ４２とマットシール収容室１２の内壁とが当接する。外側シールリップ４２の外径は、マットシール収容室１２の内径よりも大きく形成されているため、外側シールリップ４２をマットシール本体４０の内方向に押圧する（図６拡大図の矢印Ｓ参照）。この押圧力により、マットシール２０全体が内方向に変形する恐れがあるが、本発明では、マットシール本体４０より硬質の材料からなる形状維持材５０の接合部５１により内方向への変形が抑制され、外側シールリップ４２が押圧されて、マットシール収容室１２とマットシール２０との防水性が確保される。また、外側シールリップ４２が変形しないため、外側シールリップ４２の損傷が発生し難くなり、安定した防水性が確保できる。
【００２４】
更に、マットシール２０の端子収容室１１への装着方向における形状維持材５０の接合部５１の長さ（Ｌ）は、装着方向における外側シールリップ４２の設けられた領域の幅（Ｄ）より大きいため（Ｌ＞Ｄ）、より防水性が強化されている。また、端子収容室１１の後端のマットシール収容室１２の内周に密着するフランジ５２により、マットシール本体４０の外方向（図６拡大図の矢印Ｔ参照）への変形も抑制され、同時に上下左右の動きを規制しているため、マットシール本体４０は、マットシール収容室１２内で所定の位置関係が保たれ、マットシール収容室１２内の防水性が長期間安定して保たれる。
【００２５】
一方、端子３０は、端子３０の電線圧着部３１に設けられた係合部３２と端子収容室１１の先端近傍に設けられた係合突起１４とを係合させることにより、端子収容室１１内の所定の位置に係合固定されることを上述した。そして、マットシール本体４０の電線挿通孔４１の内壁には複数の内側シールリップ４３が形成されている（図７参照）ため、端子３０が端子収容室１１の所定の位置に固定されると、内側シールリップ４３が電線６０の外周と密着して電線挿通孔４１の防水性を確保する。
【００２６】
以下では、本実施形態に係る防水コネクタについて纏める。
（１）  実施形態に係る防水コネクタは、電線６０の端末に取り付けられた端子３０を装着可能な防水コネクタ１であって、前記端子３０を収容する端子収容室１１を有するハウジング１０と、前記電線６０が挿通する電線挿通孔４１を有し、前記端子収容室１１の後方に装着されるマットシール２０と、を備え、前記マットシール２０が、前記電線挿通孔４１を有するマットシール本体４０と、前記マットシール本体４０の周囲に設けられ当該マットシール本体４０より硬質の材料からなる形状維持材５０と、からなる。
（２）  実施形態に係る防水コネクタでは、前記形状維持材５０には、前記ハウジング１０に設けられた係止孔１３に係止する係止突起５３が設けられている。
（３）  実施形態に係る防水コネクタでは、前記マットシール２０の外周には、前記形状維持材５０を覆うように外側シールリップ４２が設けられ、前記マットシール２０の前記端子収容室１１への装着方向における前記形状維持材５０の長さは、前記装着方向における前記外側シールリップ４２の設けられた領域の幅より大きい。
（４）  実施形態に係る防水コネクタでは、前記形状維持材５０には、前記ハウジング１０の後端の内周に密着するフランジ５２が一体に設けられている。
【００２７】
なお、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【符号の説明】
【００２８】
１：防水コネクタ
１０：ハウジング
１１：端子収容室
１２：マットシール収容室
１３：係止孔
２０：マットシール
３０：端子
３１：電線圧着部
４０：マットシール本体
４１：電線挿通孔
４２：外側シールリップ
５０：形状維持材
５１：接合部
５２：フランジ
５３：係止突起
６０：電線
【図１】
2015041599.tif 000003
【図２】
2015041599.tif 000004
【図３】
2015041599.tif 000005
【図４】
2015041599.tif 000006
【図５】
2015041599.tif 000007
【図６】
2015041599.tif 000008
【図７】
2015041599.tif 000009
【図８】
2015041599.tif 000010